(57)【特許請求の範囲】
【請求項１】
患者の膝または脚部用の支持体を具える患者支持体において、患者が着座位置から直立位置に立ち上がる際に患者が前記支持体を押圧することができ、前記支持体が、伸縮性材料から製造された少なくとも１つの支持膜と、当該膜が接続された支持構造と、を含み、前記膜が、縁部または末端のみにおいて前記支持構造に接続されていることを特徴とする患者支持体。
【請求項２】
請求項１に記載の患者支持体において、前記膜が、シート材料から形成されることを特徴とする患者支持体。
【請求項３】
請求項１または２に記載の患者支持体において、前記膜が、シートまたはストラップの形態であることを特徴とする患者支持体。
【請求項４】
請求項３に記載の患者支持体において、前記シートが、シャベルの形態に成形された支持体であることを特徴とする患者支持体。
【請求項５】
請求項１乃至４の何れか１項に記載の患者支持体において、前記膜が、シリコーンから形成されることを特徴とする患者支持体。
【請求項６】
請求項１乃至４の何れか１項に記載の患者支持体において、前記膜が、ポリウレタン、熱可塑性ポリウレタン（ＴＰＵ）、熱可塑性エラストマー（ＴＰＥ）、ゴムまたはゴム状の材料から形成されることを特徴とする患者支持体。
【請求項７】
請求項１乃至６の何れか１項に記載の患者支持体において、前記膜が、伸縮性織物から形成されることを特徴とする患者支持体。
【請求項８】
請求項１乃至７の何れか１項に記載の患者支持体において、前記膜に補強部が設けられていることを特徴とする患者支持体。
【請求項９】
請求項８に記載の患者支持体において、前記補強部が、より厚い材料の区画であることを特徴とする患者支持体。
【請求項１０】
請求項１乃至９の何れか１項に記載の患者支持体において、前記支持構造が第１および第２の支持体要素を含んでおり、前記膜が、前記第１および第２の支持体要素の間で曲がることができることを特徴とする患者支持体。
【請求項１１】
請求項１乃至１０の何れか１項に記載の患者支持体において、前記支持構造が、側部フレームを提供し、当該側部フレームにわたって前記膜が接続されていることを特徴とする患者支持体。
【請求項１２】
請求項１１に記載の患者支持体において、前記側部フレームが、前記膜を接続する第１および第２の側部要素を含むことを特徴とする患者支持体。
【請求項１３】
請求項１２に記載の患者支持体において、前記側部フレームの間の前記膜が、曲がることができることを特徴とする患者支持体。
【請求項１４】
請求項１乃至１３の何れか１項に記載の患者支持体において、前記膜の少なくとも接触ゾーンに縫合がないことを特徴とする患者支持体。
【請求項１５】
請求項１乃至１４の何れか１項に記載の患者支持体において、前記膜が、支持体構造における部分を除き、縫合がないことを特徴とする患者支持体。
【請求項１６】
請求項１乃至１５の何れか１項に記載の患者支持体において、前記支持体がふくらはぎ支持体を含むことを特徴とする患者支持体。
【発明の詳細な説明】
【技術分野】
【０００１】
本発明は、柔軟な支持シートもしくはパネルから製造されるかまたはそれらを組み込む柔軟な患者支持体に関する。
【背景技術】
【０００２】
着座位置もしくはリクライニング位置から患者を持ち上げるために、または患者を移動させるために使用される様々なタイプの患者支持体がある。典型的に、このような支持体は強力な材料、例えば金属および／もしくはキャンバスまたは他の強力な織物から製造される。実施例は装着帯等を含む。
【０００３】
患者を着座位置から起き上がらせる場合、患者が滑ることを防止するために、患者の膝および／もしくは足首を保持することが時に有利であるかまたは必要である。このために、膝、向こうずねもしくは足首によって位置決めされる膝または足首支持体を設けることが公知である。患者が直立位置に立ち上がるとき、膝、向こうずねまたは足首は、支持体を押圧して患者を補助する。しばしば、相当の圧力が患者の膝、向こうずねまたは足首によって支持体に加えられる。支持体は、典型的に、快適さのために発泡体または軟質プラスチックに覆われた金属プレートの形態で製造される。このことは、支持体が、応力が膝および膝蓋骨にも生じる脚部または膝支持体であるときに特に当てはまる。
【０００４】
同様に、公知の織物支持体および装着帯は全体として比較的堅い。これらはまた、比較的硬質であり得る縫目線を有し、患者が不快に感じたり患者にかすれたりする原因となる。
【発明の概要】
【０００５】
本発明は、改良された医療用支持体を提供することを追求する。
【０００６】
本発明の一態様によれば、伸縮性材料から製造された少なくとも１つの支持膜を含む患者支持体が提供される。
【０００７】
患者支持体では、従来、柔軟であるが強力な材料、典型的に強力なキャンバスまたは織物材料から製造される織物要素または膜を患者支持体に設ける。材料はまた、強さのため、その縁部においておよび他の輪郭部分において典型的に縫い合わせられる。対照的に、本明細書の教示は、伸縮性材料から製造される支持膜を提供する。このことは、使用中、患者の行為に際して、負荷を受けるときにある弾力性を示すという効果を有する。このような弾力性、すなわち弾性は、特に不快であり得る既存の装置と比較して患者の快適さを高める。さらに、膜の弾力性は、膜の順応を支援し、したがって患者に対する支持を支援し、これにより、取扱い中に患者が滑る機会を低減することができる。
【０００８】
有利には、膜はシート材料から形成される。他の実施形態では、膜は、所定の形状に成形され、典型的に人用に輪郭形成される。
【０００９】
好ましい実施形態では、膜はシリコーンから形成される。他の実施形態では、膜は、ポリウレタン、熱可塑性ポリウレタン（ＴＰＵ）、熱可塑性エラストマー（ＴＰＥ）、ゴムまたはゴム状の材料から形成される。
【００１０】
いくつかの実施形態では、膜は、伸縮性織物から形成してもよい。
【００１１】
好ましくは、患者支持体は、膜が接続される支持構造を含む。有利には、膜は、支持構造の縁部または末端のみにおいて支持構造に接続される。このような構造により、膜は支持体上にありながら曲がることができることが認識されるであろう。この点に関して、患者が、既存の膝支持体に見られる金属プレートなど支持体の他の任意の部分と接触することなく、膜が曲がることができるように、組立体の構成要素が膜の動作側面の背後に配置されないことが好ましい。
【００１２】
有利には、このように、膜は支持構造の上で曲がることができる。
【００１３】
一実施形態では、支持構造は横方向フレームを提供し、横方向フレームに交差して膜が接続される。横方向フレームは、膜が接続される第１および第２の側面要素を含むことが可能であり、横方向フレームの間の膜の縁部は曲がることができることが好ましい。
【００１４】
このような構造は、膝／脚部支持体、向こうずね支持体または足首支持体でもよい。
【００１５】
他の実施形態では、患者支持体はスリングである。
【００１６】
好ましい実施形態では、膜には、身体が配置されるところに縫合がなく、例えば、支持体構造においてを除き、縫合がない。
【００１７】
支持体は、膝支持体、ふくらはぎ支持体、後部支持体または背部支持体でもよい。
【００１８】
他の実施形態では、フレームを含むストレッチャ組立体が提供され、膜は、成形された支持要素の形態であり得るかまたは複数のベルトを提供する。
【００１９】
添付図面を参照して一例としてのみ、本発明の実施形態について以下に説明する。
【図面の簡単な説明】
【００２０】
【図１】図１は、患者支持体の実施形態の概略図である。
【図２】図２は、患者支持体の実施形態の概略図である。
【図３】図３は、患者支持体の実施形態の概略図である。
【図４】図４は、患者支持体の他の実施形態の概略図である。
【図５】図５は、患者支持体の他の実施形態の概略図である。
【図６】図６は、患者の後方支持体の実施形態の概略図である。
【図７】図７は、患者の後方支持体の実施形態の概略図である。
【発明を実施するための形態】
【００２１】
患者の重量または患者の重量の一部を支承するように設計された伸縮性の膜を含む柔軟な患者支持体の様々な実施形態について以下に説明する。支持体は、患者が例えば直立位置に立ち上がるのを補助する際に、同様に病院または在宅環境で患者を持ち上げるために有用である。以下に記載する実施形態の中には、少なくとも部分的に伸縮性の膜があり、この膜は、単一の材料または場合により多層から製造することが可能であり、この構造は、少なくとも部分的に伸縮性である。大部分の実施形態では、膜は、所定の負荷の下で所定の量だけ伸び、このような負荷を超えて柔軟のままであることが予想される。
【００２２】
図１〜図３を参照すると、これらの図は、患者１２を支持する際に使用するための、特に患者１２が着座位置から直立位置に立ち上がるのを補助するための支持体１０の第１の実施形態を示している。患者支持体１０は、この実施例では、第１および第２の横方向支持体要素１４、１６を含み、これらは、金属または他の強力な材料から製造された実質的に剛性のロッドであり得る。支持要素１４、１６には、この実施例では実質的に長方形の形状を有する伸縮性の膜１８が接続される。膜１８の第１および第２の縁部２０、２２は、任意の適切な方法でフレームに取り付けられる。これらの縁部は、例えばフレームに接合してもよく、横方向支持体１４、１６の取付要素（図示せず）内に固定してもよく、または横方向支持体の周りに巻き付け、縫合もしくは他の任意の適切な方法で保持してもよい。
【００２３】
膜１８は、患者の脚部および膝の両方を受け入れるのに十分な幅であることが好ましく、このために、約５０〜約８０ｃｍ程度の幅を有してもよいが、患者の体格に応じてこの幅よりも狭いかまたは広いことが可能である。膜１８はまた、約４０〜約７０ｃｍ程度の範囲の高さを有してもよいが、この場合も、患者の体格に応じてより小さいかまたは大きい高さを有してもよい。
【００２４】
膜１８は、この実施形態では、膜の２つの横方向縁部２０、２２に保持され、一方、膜の頂縁および底縁２４、２６は支持されず、したがって、これらの縁部は使用時に曲がりかつ伸びることができる。
【００２５】
膜の高さは、患者の足の頂部から足首の周りに患者の膝の十分上に延びるのに十分であることが好ましく、また椅子に座って、患者の脚部が僅かに離れているとき、患者の膝の両方を受け入れるのに十分な幅を有する。
【００２６】
横方向支持体１４、１６は、典型的に、より大きなアイテムの装置の一部であり、支持要素１４、１６は実質的に剛性であり続け、患者支持体１０の動作中に安定しているように、この装置に固定されることが認識されるであろう。当業者は、当該技術分野において公知であるこのような装置の本質と構造を容易に認識できるであろう。
【００２７】
膜１８は、好ましい材料であるシリコーンから製造することが可能であるが、他の実施形態ではポリウレタン、ゴムまたはゴム状の材料でもよい。膜はまた、伸縮性の織物材料から製造してもよい。
【００２８】
いくつかの実施形態では、膜１８は、実質的に均一な厚さであり得る。他の実施形態では、例えば患者の１つまたは複数の身体部分が、例えば図２に示したような膝領域３０の膜を押圧するように意図される範囲で、より厚い材料のゾーンのような補強部を膜１８に設けてもよく、他の実施形態では患者が接触しないゾーンでは、膜の材料はより厚い。シート材料のより厚いゾーンは、膜１８の関連領域の全体にわたって延び得るか（図２のゾーン３０によって図示）、またはリブもしくは他の強制要素の形態であり得る。リブまたは他の補強要素が使用されるところでは、補強要素は膜の材料と異なる材料でもよく、伸縮性基材（膜１８の材料）におけるそれらの位置決めを前提として、必ずしも伸縮性材料である必要がないことも認識されるであろう。
【００２９】
膜１８には、標識、記号または文字を設けることができ、いくつかの実施形態では、これらは膜１８の材料内に圧刻するかまたは凹設することが可能である。これらは、例えば、製品名、製品特徴および／または操作仕様、洗浄指示、会社ロゴマーク、会社名およびそれらの任意の組み合わせを含むことができるであろう。
【００３０】
膜１８は、任意の色でもよく、いくつかの実施形態では、この実施例では、患者の膝が膜、特に接触領域３０に対して位置決めされるところで、介護福祉士が膜の他の側面から見ることができるように、膜は透明または半透明でもよい。
【００３１】
図１〜図３に示した膝支持体１０は、患者１２が着座位置から立ち上がるときに患者１２が押圧することがある患者の膝／脚部に対して支持を提供する。横方向支持体１４、１６に取り付けられた膜１８は、横方向支持体の移動中に患者の脚部の力を吸収し、まず第１に、伸びて支持体１０にソフトなクッション機能を提供する。膜１８がその初期の伸びを越えて伸びると、膜は、患者の脚部および膝を支持するための抑制力を高め、これによって、患者が直立位置に到達するのを補助する。この作用中、膜１８の伸びは、部分的に膝の周りを包むことによって患者の膝の保持も支援し、これによって、患者の滑りの機会を低減することができる。
【００３２】
患者支持体１０はまた、ふくらはぎを支持して患者の足の滑りを防止するために、患者のふくらはぎの背後に位置決めすることができるであろう。このために、支持ユニット１０は、患者の下肢よりも低い、好ましくは約１０〜５０ｃｍ以下の高さを有するように作ることができるであろう。
【００３３】
ある実施形態では、支持棒１４、１６に接続された上部および下部の支持要素または棒を設け、これによって、支持フレームを形成することが可能であることが認識されるであろう。
【００３４】
次に図４および図５を参照すると、患者支持体３２の他の実施形態が示されており、この患者支持体は、この場合、再びシリコーンまたは本明細書に開示した他の材料の任意の材料から製造される後部および胴部支持体である。支持体３２は、第１および第２の胴ストラップ３４、３６と、第１および第２の臀部ストラップ３８、４０とを含む。ストラップには、典型的に、公知のタイプの装着帯に取り付けるための連結部材、例えばフック、リングなどが設けられる。支持体３２はまた、特に図５に示したように、患者の背部および後部を支持するように成形される臀部および胴部支持膜４２を含む。少なくとも膜４２は、伸縮性材料から製造されるが、ストラップ３４〜４０も同一の材料から製造されることが好ましい。しかし、いくつかの実施形態では、必要に応じてストラップ３４〜４０を非伸縮性材料から製造できることが認識されるであろう。
【００３５】
膜４２の下に強化バンド４４が設けられ、このバンドは、上に説明したようにより大きな厚さの範囲の膜材料であり得るか、または再び上に説明したように、このバンドに強化リブもしくは他の強化要素を設けてもよい。膜４２は、異なる複数の厚さから製造してもよく、いくつかの実施形態では、膜の範囲にわたって可変厚さを有してもよい。
【００３６】
膜４２は、患者の頭部まで覆うのに十分に高いことが好ましく、患者の大腿部の背部を支持するように十分に低く延びる。支持体３２は、既存の支持体よりも多くの取付点を提供することが認識されるであろう。
【００３７】
図１〜図３の実施形態と同様に、支持体３２は、任意の色から製造してもよく、または透明もしくは半透明でもよく、また支持体の上に標識、記号または文字を設けてもよい。
【００３８】
支持体３２が、本明細書に開示したすべての支持体と同様に、患者１２に接触する可能性が高い膜の少なくともそれら部分に膜の縫合を有しないことが好ましい。縫合は、装置をより堅くし、患者にとって不快な硬さの突出部または領域をもたらす。支持体３２用の上に開示した材料の任意のものを使用することにより、縫合の使用を回避することができる。
【００３９】
次に図６および図７を参照すると、支持体５０の他の実施形態が示されており、支持体は、この場合、患者の背部を支持するための背部支持体である。この背部支持体は、例えば、患者１２が着座位置から直立位置に立ち上がることを補助するために使用することができる。
【００４０】
背部支持体５０は、図７に見ることできるように、患者の背部を覆う膜６０の隣接する側面におよび頂部と底部に４つのストラップ要素５２〜５８を含む。上述の実施形態と同様に、背部支持体には、より大きな厚さのゾーン６２または上述のタイプの強化要素を設けてもよい。
【００４１】
図６および図７に示した背部支持体５０は、上述の支持体と同一の特徴、特に図４および図５に示した後部および胴部支持体３２を有してもよい。
【００４２】
背部支持体５０は、患者の頭部の上に到達し、患者の尾骨と整列するのに十分に低くなるような高さを有し得るが、本明細書に開示した他の実施形態と同様に、異なる寸法を有してもよい。
【００４３】
支持体３２と同様に、背部支持体５０は、患者に対して全体的に予め曲げられるかまたは成形される膜を有し得るが、これは必要でない。
【００４４】
図４〜図７に示した支持体の実施形態および関連の実施形態は、５つ以上、場合により４つ未満のストラップを有し得るので、４つのストラップを有することに限定されないことを認識すべきである。
【００４５】
患者支持体は、他の多くの構成を有してもよい。１つの実施例は、患者の後部を支持するように成形かつ寸法決めされ、かつ装着帯に取り付けるためのストラップを有する後部支持体である。この場合も、後部支持体は、図４〜図７の実施形態と同様の４つのストラップを有してもよい。このような支持体は、患者の腰部の上にまで、かつ患者の大腿部の背部に触れるのに十分に延びることができるであろう。
【００４６】
次に図８を参照すると、本発明の他の実施形態によるストレッチャフレーム組立体７０の実施例が示されている。ストレッチャフレーム組立体７０は、従来の形態のホイスト７２に連結されて示されており、したがって、ここでは詳細に説明しない。
【００４７】
ストレッチャフレーム組立体７０は、この場合も従来の形態の全体的に長方形の開口フレーム要素７４を含み、この要素は、典型的な患者のフレームよりも大きな形状およびサイズを有し、この結果、フレーム組立体７０によって支承された人は、フレーム要素７４内に快適に横たわることができる。
【００４８】
本実施形態では、フレーム要素７４に連結されて、一連のストラップ７６、７８が設けられ、これらのストラップは、一方のフレーム側面８０から他方のフレーム側面に延び、任意の適切な機構によってフレーム側面８０に取り付けられ、これらの内のいくつかが当業者には明らかであろう。ストラップ７８の１つ以上は、例えば患者のより重い部分、典型的に頭部、患者の臀部などを支持するために、他のストラップ７８よりも広くおよび／または厚くてもよい。ストラップは、伸縮性材料である本明細書に教示した膜から作られ、本明細書に教示した膜の特徴のすべてを有し得る。このような膜から作られたストラップ７６、７８を設けることにより、ストラップ、したがって患者支持体は、支持動作の開始時に制御可能に伸びることが可能になり、すなわち、患者がストレッチャの上に下げられたとき、またはストレッチャが地面もしくは他の支持面から持ち上げられたとき、実際にソフトな接触を提供し、ストラップを患者の形状により良く順応させることができる。
【００４９】
他の実施形態では、ストラップ７６、７８の代わりに提供し、フレーム組立体７０には、フレーム８０内の空間全体または実質的に空間全体にわたって延びるシート形態の支持要素を設けることができるであろう。このような支持要素は、本明細書に教示した膜材料から形成された時にシャベルと称されるモールド成形された支持体部であることが好ましい。支持体は、このように本明細書に教示したのと同一の特徴を有する。膜またはシャベルは、ここでも本明細書に教示したように、異なる厚さのゾーンを有することができるであろう。
【００５０】
ストレッチャは、負傷し患者を運ぶために使用することができる。その構成は、ストラップ７６、７８またはシャベルを横たわる患者の下で摺動させ、次にストレッチャフレームに取り付けることができ、この結果、患者を地面から持ち上げることができるようなものであることができる。ストレッチャは、このように、落下して、背部または首を負傷した可能性のある患者または動物の移送を補助するために使用することができる。
【００５１】
上述のおよび本明細書の教示によって意図された患者支持体の実施形態のすべては、特に膜の伸縮性の結果として、金属、頑丈な織物または他の同様の材料から製造された堅い支持体よりもはるかに効率的に圧力を拡散ことができる。さらに、膜は、従来技術の支持体と同様に患者の肉に切り込まない。
【００５２】
さらに、患者を持ち上げるとき、患者支持体は、患者に快適さをもたらす膜の伸びの結果として、患者の移動に対してゆっくりとした開始と述べることができるであろうものを与えることができる。従来のスリングおよび他の支持体は、それらの剛性、堅さおよび非伸縮性のためこのような「ソフトな開始」を提供することはできない。
【００５３】
本明細書に教示した支持体は、患者が患者支持体を使用して座位から立位への移動ならびに立位から座位への移動を実施することを可能にするために、患者のリハビリのために使用することができ、このことは、膜１８の材料が患者の身体の曲がりの同一の位置で伸びかつ曲がるので、使用が不快でなく痛くもない。支持体は、患者が立っている間にも曲がることができ、直立のときに患者がよりリラックスすることを可能にする。自然な足どりの訓練を可能にするためにも、支持体を使用できるであろうことが予想される。支持体は、患者が快適に支持体を押圧することができる訓練装置として使用でき、膜は曲がって、対抗力、したがって患者の練習を提供する。
【００５４】
膜１８がシリコーンまたは同様の材料から形成されるとき、材料はある量の摩擦を提供し、これが、運動中の患者の滑り防止を補助することができる。さらに、膜１８の弾性的性質は、膜がそれに加えられる力に応じて多少とも伸びることを前提として、任意の調整を行う必要なしに異なる患者による支持体の使用を可能にする。同様に、特にシリコーンまたは同様の材料から製造された膜の材料は、身体の形状に輪郭付けることができ、堅い織物スリングよりも相当優れている。
【００５５】
当業者は、本明細書の教示によって意図されるいくつかの実施形態のみについて上に記載されていること、および患者支持体の他の構造が当業者には容易に明らかであることを認識するであろう。
【００５６】
本明細書に開示した異なる実施形態の様々な特徴が、ある実施形態から別の実施形態に交換可能に使用し得ることも理解すべきである。
【００５７】
本出願に伴う要約書の内容は、参照により本出願に組み込まれる。
【図１】
0006480912.tif 000002
【図２】
0006480912.tif 000003
【図３】
0006480912.tif 000004
【図４】
0006480912.tif 000005
【図５】
0006480912.tif 000006
【図６】
0006480912.tif 000007
【図７】
0006480912.tif 000008
【図８】
0006480912.tif 000009